(57)【要約】【課題】本発明は、テープ巻回体のテープ端を切り取った際に切り取り屑が製品に混入しにくくなる技術を提供することを目的とする。【解決手段】テープカット装置１０は、粘着テープが巻回されたテープ巻回体８０から引き出されたテープ端８５をカットする装置である。テープカット装置１０は、テープ巻回体８０の軸心方向に複数のテープ巻回体８０が並んだ状態で複数のテープ巻回体８０を支持可能な巻回体支持部１４と、巻回体支持部１４に支持された複数のテープ巻回体８０から引き出されたテープ端８５が軸心方向に並列に並ぶ状態でテープ端８５のうちテープカット位置８６よりもテープ巻回体８０側の部分を貼り付け可能なテープ端貼付部１６と、テープ端８５をテープカット位置８６でカット可能なカット刃２０と、カット刃２０が軸心方向に往復移動可能となるようにカット刃２０を支持する往復移動部３０と、を備える。【選択図】図１
2017190205.tif 000002
【特許請求の範囲】
【請求項１】
粘着テープが巻回されたテープ巻回体から引き出されたテープ端をカットするテープカット装置であって、
テープ巻回体の軸心方向に複数の前記テープ巻回体が並んだ状態で複数の前記テープ巻回体を支持可能な巻回体支持部と、
前記巻回体支持部に支持された複数のテープ巻回体から引き出されたテープ端が前記軸心方向に並列に並ぶ状態で前記テープ端のうちテープカット位置よりも前記テープ巻回体側の部分を貼り付け可能なテープ端貼付部と、
前記テープ端を前記テープカット位置でカット可能なカット刃と、
前記カット刃が前記軸心方向に往復移動可能となるように前記カット刃を支持する往復移動部と、
を備える、テープカット装置。
【請求項２】
請求項１に記載のテープカット装置であって、
前記カット刃を収容した状態で、前記往復移動部によって前記カット刃と共に前記軸心方向に往復移動可能に支持され、前記カット刃でカットされた前記テープ端が収められるボックス部をさらに備える、テープカット装置。
【請求項３】
請求項１又は請求項２に記載のテープカット装置であって、
前記テープ貼付部に前記テープ端が貼り付けられていることを検知する検知部をさらに備える、テープカット装置。
【請求項４】
請求項１から請求項３のいずれか１項に記載のテープカット装置であって、
前記往復移動部を往復駆動する往復駆動機構をさらに備える、テープカット装置。
【請求項５】
請求項１から請求項４のいずれか１項に記載のテープカット装置であって、
前記テープ端のうち前記テープ端カット位置よりも先端側の部分を貼り付け可能な先端側貼付部をさらに備える、テープカット装置。
【発明の詳細な説明】
【技術分野】
【０００１】
この発明は、粘着テープが巻回されたテープ巻回体から引き出された粘着テープをカットする技術に関する。
【背景技術】
【０００２】
特許文献１は、テープ巻回体から粘着テープを引き出して切る際に、テープ巻回体側に残るテープ端を折り畳んだうえで切る粘着テープ端折りカッターを開示している。
【先行技術文献】
【特許文献】
【０００３】
【特許文献１】特開２００６−２４８６６６号公報
【発明の概要】
【発明が解決しようとする課題】
【０００４】
ここで、電線の結束等を目的として電線に粘着テープを巻付ける場合、新品のテープ巻回体のテープ端に設けられる粘着剤が設けられていない部分、又は上記のように折り畳まれたテープ端は、通常、切り取られて製品に残らないようにされている。この際、切り取られたテープ端が切り取り屑として捨てられるが、作業者が巻付け位置の近くでテープ端を切り取る場合、切り取り屑が製品に混入してしまう恐れがある。
【０００５】
そこで、本発明は、テープ巻回体のテープ端を切り取った際に切り取り屑が製品に混入しにくくなる技術を提供することを目的とする。
【課題を解決するための手段】
【０００６】
上記課題を解決するため、第１の態様に係るテープカット装置は、粘着テープが巻回されたテープ巻回体から引き出されたテープ端をカットするテープカット装置であって、テープ巻回体の軸心方向に複数の前記テープ巻回体が並んだ状態で複数の前記テープ巻回体を支持可能な巻回体支持部と、前記巻回体支持部に支持された複数のテープ巻回体から引き出されたテープ端が前記軸心方向に並列に並ぶ状態で前記テープ端のうちテープカット位置よりも前記テープ巻回体側の部分を貼り付け可能なテープ端貼付部と、前記テープ端を前記テープカット位置でカット可能なカット刃と、前記カット刃が前記軸心方向に往復移動可能となるように前記カット刃を支持する往復移動部と、を備える。
【０００７】
第２の態様に係るテープカット装置は、第１の態様に係るテープカット装置であって、前記カット刃を収容した状態で、前記往復移動部によって前記カット刃と共に前記軸心方向に往復移動可能に支持され、前記カット刃でカットされた前記テープ端が収められるボックス部をさらに備える。
【０００８】
第３の態様に係るテープカット装置は、第１又は第２の態様に係るテープカット装置であって、前記テープ貼付部に前記テープ端が貼り付けられていることを検知する検知部をさらに備える。
【０００９】
第４の態様に係るテープカット装置は、第１から第３のいずれか１つの態様に係るテープカット装置であって、前記往復移動部を往復駆動する往復駆動機構をさらに備える。
【００１０】
第５の態様に係るテープカット装置は、第１から第４のいずれか１つの態様に係るテープカット装置であって、前記テープ端のうち前記テープ端カット位置よりも先端側の部分を貼り付け可能な先端側貼付部をさらに備える。
【発明の効果】
【００１１】
第１から第５の態様によると、テープカット装置のある位置でテープ端をカットするため、切り取られたテープ端が製品に混入しにくくなる。
【００１２】
特に、第２の態様によると、カット刃でカットされたテープ端がボックス部に収められるため、切り取られたテープ端がより製品に混入しにくくなる。
【００１３】
特に、第３の態様によると、テープ貼付部にテープ端が貼り付けられていることを検知していない場合に、往復移動部が動かないようにするなどすることによって安全性を高めることができる。
【００１４】
特に、第４の態様によると、往復移動部を往復駆動する往復駆動機構をさらに備えるため、別途設けられた起動スイッチを押すなどすることによってテープ端貼付部に貼り付けられたテープ端を自動でカットすることができる。
【００１５】
特に、第５の態様によると、テープ端貼付部と先端側貼付部との間の部分をカット刃がカットする。この際、テープ端がテープ端貼付部と先端側貼付部とに貼り付けられているため、カット時にテープ端の姿勢が乱れてカット不良が生じることが抑制される。
【図面の簡単な説明】
【００１６】
【図１】実施形態に係るテープカット装置を示す正面図である。
【図２】実施形態に係るテープカット装置を示す側面図である。
【図３】実施形態に係るテープカット装置を示す平面図である。
【図４】実施形態に係るテープカット装置を示す部分拡大平面図である。
【図５】図４のＶ−Ｖ線に沿って切断した断面図である。
【図６】変形例に係るテープカット装置を示す正面図である。
【発明を実施するための形態】
【００１７】
｛実施形態｝
以下、実施形態に係るテープカット装置について説明する。図１は、実施形態に係るテープカット装置１０を示す正面図である。図２は、実施形態に係るテープカット装置１０を示す側面図である。図３は、実施形態に係るテープカット装置１０を示す平面図である。図４は、実施形態に係るテープカット装置１０を示す部分拡大平面図である。図５は、図４のＶ−Ｖ線に沿って切断した断面図である。
【００１８】
テープカット装置１０は、粘着テープ８４が巻回されたテープ巻回体８０から引き出されたテープ端８５をカットする装置である。テープ巻回体８０は、例えば、円筒状の芯部材８２の周囲に粘着テープ８４が巻き付けられた構成とされている。以下では、テープ巻回体８０が新品の状態であり、テープカット装置１０は、新品のテープ巻回体８０のテープ端８５のうち先端側の粘着層が設けられていない部分と後端側の粘着層が設けられた部分との境界近傍をカットするものとして説明する。もっとも、テープカット装置１０は、使いさしのテープ巻回体のテープ端であって折り畳まれたテープ端をカットすることもあり得る。テープカット装置１０は、巻回体支持部１４と、テープ端貼付部１６と、カット刃２０と、往復移動部３０とを備える。さらにここでは、テープカット装置１０は、往復駆動機構３２とボックス部４０と検知部５０とをさらに備える。
【００１９】
巻回体支持部１４は、テープ巻回体８０の軸心方向に複数のテープ巻回体８０が並んだ状態で複数のテープ巻回体８０を支持可能に形成されている。ここでは、巻回体支持部１４は、芯部材８２の内径と同程度の外径を有する円形棒状に形成されている。巻回体支持部１４は、芯部材８２に挿通されて芯部材８２を支持することによってテープ巻回体８０を支持している。巻回体支持部１４は、平板状に形成された支持台１２に突設されている。
【００２０】
テープ端貼付部１６は、巻回体支持部１４に支持されたテープ巻回体８０から引き出されたテープ端８５のうちテープカット位置８６よりもテープ巻回体８０側の部分を貼り付け可能に形成されている。テープ端貼付部１６は、複数のテープ巻回体８０からそれぞれ引き出されたテープ端８５が粘着面を軸心方向と直交する方向に向けて軸心方向に並列に並ぶ状態で、当該複数のテープ端８５を貼り付け可能に形成されている。ここでは、テープ端貼付部１６は、四角形棒状に形成されている。テープ端貼付部１６は、支持台１２上において巻回体支持部１４と離れた位置に突設されている。例えば、テープ端貼付部１６は、その側面の一つがテープ貼付面１６ａとされ、巻回体支持部１４に支持された新品のテープ巻回体８０の接線方向に広がるような位置に設けられている。
【００２１】
カット刃２０は、テープ端８５をテープカット位置８６でカット可能に形成されている。カット刃２０は、往復移動部３０によって軸心方向に往復移動する。ここでは、カット刃２０は、ボックス部４０に設けられている。カット刃２０は、例えば、２つの刃部材２１、２２を含む鋏状に形成される。この際、一方の刃部材２１は、ボックス部４０に固定される。他方の刃部材２２は、一方の刃部材２１に対して回動可能に、一方の刃部材２１に支持される。これにより、カット刃２０のカット時の挙動が安定する。もっとも、カット刃２０が鋏状に形成されていることは必須ではなく、例えば、カット刃は、一枚刃であってもよい。
【００２２】
往復移動部３０は、カット刃２０が軸心方向に往復移動可能となるようにカット刃２０を支持する。ここでは、往復移動部３０は、スライダ状に形成されている。往復移動部３０は、テープ端貼付部１６にその長手方向に沿ってスライド移動可能に支持されている。往復移動部３０はボックス部４０を支持している。これにより、往復移動部３０は、ボックス部４０を介してカット刃２０が軸心方向に往復移動可能となるようにカット刃２０を支持する。
【００２３】
往復駆動機構３２は、往復移動部３０を往復駆動する。往復駆動機構３２は、例えば、リニアアクチュエータ等によって構成され、テープ端貼付部１６に対してその長手方向に沿って往復移動部３０を往復移動させる。この場合、テープ端貼付部１６がリニアアクチュエータに含まれるリニアガイドの一部を構成していることが考えられる。
【００２４】
ボックス部４０は、カット刃２０を収容している。ボックス部４０は、カット刃２０を収容した状態で、往復移動部３０によってカット刃２０と共に軸心方向に往復移動可能に支持されている。ボックス部４０には、カット刃２０でカットされたテープ端８５が収められる。具体的には、ボックス部４０は、底部４１と底部４１の周囲に立設された側壁部４２とを含む箱状に形成されている。ボックス部４０には、テープ端８５が通過可能なスリット４４が形成されている。ここでは、底部４１と１つの側壁部４２ａとにスリット４４が形成されている。カット刃２０は、スリット４４の上方に設けられ、例えば、側壁部４２ａに固定される。底部４１は、外縁からスリット４４の周縁に向けて、徐々に隆起するように形成されている。従ってここでは、底部４１のうちスリット４４の周縁の内面側は返し状に形成されている。さらにここでは、側壁部４２の一つにガイド部材４６が突設されている。ガイド部材４６は、スリット４４からボックス部４０内に案内されたテープ端８５の一方主面（例えば、非接着面と同じ側の主面）を反対側の側壁部４２に向けて押圧可能に形成されている。このため、スリット４４からボックス部４０内に案内されたテープ端８５がカット刃２０でカットされた際に、カットされたテープ端８５がスリット４４からボックス部４０の外部に排出されてしまうことが抑制される。つまり、カットされたテープ端８５がボックス部４０内に残り易くなる。
【００２５】
検知部５０は、テープ端貼付部１６にテープ端８５が貼り付けられていることを検知する。検知部５０は、例えば、光を発信する投光部と投光部で発信された光を受信する受光部とを含む光センサで構成される。投光部及び受光部のうち一方がボックス部４０の外面に設けられ、他方が支持台１２に設けられることが考えられる。そして、テープ端貼付部１６にテープ端８５が貼り付けられている状態で投光部から発信された光が当該テープ端８５によって遮られ、受光部が当該光を受信できない場合などに、テープ端貼付部１６にテープ端８５が貼り付けられていると検知する。もっとも、検知部５０は設けられていない場合もあり得る。また、検知部は他の構成でテープ端８５を検知することも考えられる。
【００２６】
上記往復駆動機構３２及び検知部５０の動作は、ＣＰＵ、ＲＯＭおよびＲＡＭ等を備える一般的なマイクロコンピュータによって構成された制御ユニットによって制御される。例えば、検知部５０がテープ端貼付部１６にテープ端８５が貼り付けられているかを検知し、貼り付けられていることを検知できた場合に別途設けられた起動スイッチを押すことで往復駆動機構３２を駆動可能となるように制御されていることが考えられる。
【００２７】
＜動作＞
次に、当該テープカット装置１０の動作について説明する。
【００２８】
まず、巻回体支持部１４に複数のテープ巻回体８０を支持させる。そして、往復移動部３０及びボックス部４０がテープ端貼付部１６に沿って上方に位置する状態で、複数のテープ巻回体８０からそれぞれテープ端８５を引き出してテープ端貼付部１６にテープカット位置８６よりもテープ巻回体８０側の部分を貼り付ける。このとき、検知部５０がテープ端貼付部１６にテープ端８５が貼り付けられていることを検知する。
【００２９】
次に、検知部５０がテープ端貼付部１６にテープ端８５が貼り付けられていることを検知している状態で、往復駆動機構３２を駆動させて、往復移動部３０を往復移動させる。往復移動部３０が往復移動を開始すると、まずテープ端貼付部１６に沿って上方に位置する往復移動部３０及びボックス部４０が下方に降りていく。この際、テープ端貼付部１６に貼り付けられている複数のテープ端８５のうち最も上方に位置するテープ端８５ａがスリット４４を通じてボックス部４０内に案内され、ボックス部４０内に配されたカット刃２０によりカットされる。カットされたテープ端８５は、ガイド部材４６に押圧されてスリット４４から排出されることなくボックス部４０内に収められる。
【００３０】
これを繰り返すことで順次テープ端８５がカットされる。そして、テープ端貼付部１６に貼り付けられたすべてのテープ端８５がカットされると、往復移動部３０は、テープ端貼付部１６に沿って下方の折り返し位置まで達する。折り返し位置まで達した往復移動部３０は、そのまま折り返してテープ端貼付部１６の上方の原点（初期位置）に戻り停止する。
【００３１】
往復移動部３０が原点に戻ると、テープカット装置１０には、テープ端８５がテープ貼付部に貼り付けられ、且つそれより先端側の非粘着部分を含むテープ端８５ｃがカットされたテープ巻回体８０が残る。例えば、作業者は、電線へのテープ巻作業をする際などに新品のテープが必要な場合に、テープカット装置１０からテープ端８５ｃがカットされたテープ巻回体８０を取出してテープ巻作業を行うことが考えられる。また例えば、テープ端８５ｃがカットされたテープ巻回体８０を予めテープカット装置１０から取出しておき、テープ巻作業を行う箇所の近くに置いておくことが考えられる。
【００３２】
また、テープカット装置１０のボックス部４０には、カットされたテープ端８５ｃがたまる。ボックス部４０内の当該テープ端８５ｃは、テープカット作業を行うたび、又は一定量たまった段階などに適宜廃棄されるとよい。
【００３３】
このようなテープカット装置１０によると、テープカット装置１０のある位置でテープ端８５ｃをカットするため、切り取られたテープ端８５ｃが製品に混入しにくくなる。また、作業者が当該テープカット装置１０から取り出したテープ巻回体８０をそのまま巻付け作業を行うことができる。このため、作業者が巻付作業現場で新品のテープ巻回体８０をおろすごとにテープ端８５をカットする手間がかからなくなる。また、作業者が当該テープカット装置１０から取り出したテープ巻回体８０を用いてテープ巻作業を行うことで、テープ端８５の切り取り忘れが発生してテープ端８５が製品に巻付けられることを抑制することができる。また、複数のテープ巻回体８０のテープ端８５を一度にまとめてカットできるため、工数削減を図ることができる。
【００３４】
また、カット刃２０でカットされたテープ端８５ｃがボックス部４０に収められるため、切り取られたテープ端８５ｃがより製品に混入しにくくなる。
【００３５】
また、テープ端貼付部１６にテープ端８５が貼り付けられていることを検知していない場合に、往復移動部３０が動かないようにするなどすることによってテープカット作業に係る安全性を高めることができる。
【００３６】
また、往復移動部３０を往復駆動する往復駆動機構３２をさらに備えるため、別途設けられた起動スイッチを押すなどすることによってテープ端貼付部１６に貼り付けられたテープ端８５を自動でカットすることができる。
【００３７】
｛変形例｝
次に、実施形態に係るテープカット装置１０の変形例について説明する。なお、本変形例の説明において、実施形態で説明したものと同様構成要素については同一符号を付してその説明を省略する。
【００３８】
実施形態において、テープ端８５のうちテープ端貼付部１６より先端側の自由端となっている部分をカットしていたが、このことは必須ではない。図６に示す変形例に係るテープカット装置１０Ａのように、テープ端８５のうち２つの貼付部１６、１８にそれぞれ貼り付けられた部分の間の部分をカットしてもよい。より詳細には、変形例に係るテープカット装置１０Ａは、テープ端８５のうちテープカット位置８６よりも先端側の部分を貼り付け可能な先端側貼付部１８をさらに備える。先端側貼付部１８はテープ端貼付部１６と同様の形状に形成され、支持台１２上においてテープ端貼付部１６と離れた位置に設けられる。そして、テープ端８５がテープ端貼付部１６と先端側貼付部１８とに貼り付けられた状態で、この間の部分をカット刃２０がカットする。このような構成を採用することで、テープ端８５がテープ端貼付部１６と先端側貼付部１８とに貼り付けられているため、カット時にテープ端８５の姿勢が乱れてカット不良が生じることが抑制される。
【００３９】
また、実施形態において、往復駆動機構３２が往復移動部３０を往復移動させるものとして説明したが、このことは必須ではない。往復駆動機構３２が省略され、作業者が手動で往復移動部を移動させるものであってもよい。この場合、例えば、テープカット装置がソレノイド等で構成されたロック機構をさらに備え、検知部５０の検知結果に応じてロック機構がロック及びロック解除を行うように制御されていてもよい。
【００４０】
また、実施形態において、往復駆動機構３２が往復移動部３０を往復駆動させる際に、折り返し位置に達した往復移動部３０をそのまま原点（初期位置）に向けて移動させるものとして説明したが、このことは必須ではない。例えば、往復駆動機構３２は、往復移動部３０を折り返し位置まで移動させた状態で一旦停止し、別途設けられた原点復帰ボタンを作業者が押すことで往復移動を再開するように制御されていることも考えられる。
【００４１】
また、実施形態において、ボックス部４０が設けられるものとして説明したが、ボックス部４０は設けられていない場合もあり得る。また、ボックス部４０が設けられる場合でも、ボックス部４０が往復移動部３０に設けられていることは必須ではない。ボックス部４０は、例えば、テープ端貼付部１６の下方に設けられることが考えられる。
【００４２】
なお、上記実施形態及び各変形例で説明した各構成は、相互に矛盾しない限り適宜組み合わせることができる。
【００４３】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００４４】
１０  テープカット装置
１４  巻回体支持部
１６  テープ端貼付部
１８  先端側貼付部
２０  カット刃
３０  往復移動部
３２  往復駆動機構
４０  ボックス部
４４  スリット
５０  検知部
８０  テープ巻回体
８２  芯部材
８４  粘着テープ
８５  テープ端
８６  テープカット位置
【図１】
2017190205.tif 000003
【図２】
2017190205.tif 000004
【図３】
2017190205.tif 000005
【図４】
2017190205.tif 000006
【図５】
2017190205.tif 000007
【図６】
2017190205.tif 000008